(57)【要約】【課題】  厚みがあり、硬い壁装材を裁断する場合でも、切断中の壁装材にシワや撓みが生じて壁装材が蛇行しない壁紙糊付機用スリッターを得る。【解決手段】  壁紙糊付機の本体後部に装着され、原反ロールから糊付けのために糊付機本体内へ引き込まれてゆくシート状壁装材を糊付け前に裁断するスリッターであって、  前記壁装材を沿わせる搬送通路となるガイド面部と、このガイド面部の両側端部領域に各々配置される切断用回転刃とを備えた壁紙糊付機用スリッターにおいて、前記ガイド面部には、壁装材搬送下流側端縁部に形成された下流側曲面部を備え、前記回転刃と壁装材搬送下流側端縁部との間のガイド面部上で前記壁装材の幅方向に渡されるテンションバーと、該テンションバーによって前記壁装材をガイド面部へ押付けるテンションバー押圧手段とを備えたもの。【選択図】      図３
2005305916.tif 000002
【特許請求の範囲】
【請求項１】
壁紙糊付機の本体後部に装着され、原反ロールから糊付けのために糊付機本体内へ引き込まれてゆくシート状壁装材を糊付け前に裁断するスリッターであって、
前記壁装材を沿わせる搬送通路となるガイド面部と、このガイド面部の両側端部領域に各々配置される切断用回転刃とを備えた壁紙糊付機用スリッターにおいて、
前記ガイド面部には、壁装材搬送下流側端縁部に形成された下流側曲面部を備え、
前記回転刃と壁装材搬送下流側端縁部との間のガイド面部上で前記壁装材の幅方向に渡されるテンションバーと、該テンションバーによって前記壁装材をガイド面部へ押付けるテンションバー押圧手段とを備えたことを特徴とする壁紙糊付機用スリッター。
【請求項２】
前記テンションバー押圧手段が、
前記ガイド面部の両側端に配され、一端部にテンションバーを取付ける取付け部を備えた一組のテンションバー保持部材と、
各々のテンションバー保持部材の他端部を軸支する支点部と、
前記テンションバーが前記ガイド面部へ当接する当接位置になるように各々のテンションバー保持部材を付勢する付勢手段とを備えたことを特徴とする請求項１に記載の壁紙糊付機用スリッター。
【請求項３】
前記ガイド面部には、壁装材搬送上流側端縁部に形成された上流側曲面部を備え、
該上流側曲面部に沿って壁装材の搬送経路を曲折する別のテンションバーと、前記スリッター本体の両側部にこの別のテンションバーを保持するテンションバー保持アームとを更に備え、
前記テンションバー保持アームが、前記上流側曲面部に沿った壁装材の搬送経路とするテンションをかける位置と、壁装材にテンションをかけない位置とに切換え可能としたことを特徴とする請求項１又は２に記載の壁紙糊付機用スリッター。
【請求項４】
前記上流側曲面部の曲率半径が１２〜１８ｍｍであることを特徴とする請求項１〜３の何れか１項に記載の壁紙糊付機用スリッター。
【請求項５】
前記下流側曲面部の曲率半径が１２〜１８ｍｍであることを特徴とする請求項１〜４の何れか１項に記載の壁紙糊付機用スリッター。
【請求項６】
前記請求項１〜５の何れか１項に記載のスリッターを糊付機本体後部に着脱自在に備えた壁紙糊付機において、
前記スリッターには、糊付機後面の左右に渡って横架された上段ステーと、該上段ステーの下方に配された下段係止片との各々に掛止される上下掛止爪を備えた掛止具を備え、
前記下段係止片は、後面側への掛止力に対抗する効力を発生するバネ手段を介して横架されていることを特徴とするスリッターを備えた壁紙糊付機。
【請求項７】
前記請求項１〜５の何れか１項に記載のスリッターを糊付機本体後部に着脱自在に備えた壁紙糊付機において、
前記壁紙糊付機は、糊液を一時貯留する糊桶と、糊液を保持する糊液容器内の糊液を糊液供給パイプを介して前記糊桶内へ供給する糊液供給ポンプ装置とを更に備え、
前記スリッターには、糊付機本体後部に装着した際に、前記糊液供給パイプを糊付機本体後面と共に挟み込む切欠き部を備えたことを特徴とするスリッターを備えた壁紙糊付機。
【請求項８】
前記請求項１〜５の何れか１項に記載のスリッターを糊付機本体後部に着脱自在に備えた壁紙糊付機において、
前記壁紙糊付機は、前記糊付機の複数のローラを駆動する駆動源を備えたコントローラを更に備え、
前記回転刃は、モータにより回転させて前記壁装材の端部を裁断するものであり、
前記モータの駆動電源が、前記コントローラを介して供給されていることを特徴とするスリッターを備えた壁紙糊付機。
【発明の詳細な説明】
【技術分野】
【０００１】
本発明は室内壁面等に貼付されるシート状壁装材の裏面に、連続的に糊を塗布する壁紙糊付機に装着されるスリッター及びスリッターを備えた壁紙糊付機に関するものである。
【背景技術】
【０００２】
現在、建築物の内装施工における壁装材の室内壁面への貼付は、現場で専用の壁紙糊付機を用いてシート状の壁装材（所謂「クロス」）に連続的に糊を塗布しながら行うのが一般的となっている。このような壁紙糊付機として、最近では、自動式の糊付機が普及している。この自動壁紙糊付機では、糊付ローラの回転軸端にモータ等の駆動機構の回転軸を連結し、糊付ローラを電動で回転させることによって、他のローラをギアを介して連動させ、これらのローラの回転で自動的にクロスを搬送させながら糊桶から糊を掬い上げてクロス裏面に塗布している。
【０００３】
このような従来の壁紙糊付機では、通常クロスは糊付機本体後面側で回転可能に軸支された原反ロールから繰り出され、本体を支持する脚部に橋架されているテンションバーを介して搬送され、スリッターに導入されるようになっている。
【０００４】
ところが、このような従来の壁紙糊付機では、テンションバーが脚部、即ちスリッターの斜め下方の離れた位置に軸支されているので、クロスを糊付機本体の後面部の引き込み口まで搬送しようとする場合には、スリッターに搬送されてくるまでの間にクロスにシワ、撓み等が発生する場合があり、この状態でスリッターに搬送してクロスの裁断を行うと、クロスの側縁部を良好に切断することができないという問題があった。
【０００５】
特に、クロスの搬送方向に対して直交方向に沿って平行に設けられた上下シャフトの対向位置に、上下一対の回転刃を構成するオーバーカッター（上刃）とアンダーカッター（下刃）とがそれぞれ軸止され、この一対のカッターが搬送されるシート状のクロスを上下から挟んで裁断するスリッターの場合には、クロスが弛んで一対のカッターに搬送されると刃と刃の間にクロスが入り込んで直線状の裁断辺が得られず、施工の際、クロスジョイントに隙間（目透き）が発生することがあった。
【０００６】
また、上下一対の回転刃ではなく、高速に回転する１枚の回転刃によって、クロスの搬送方向に対して両側縁部を裁断するスリッターにおいても、クロスが弛んで一対のカッターに搬送されると同様に裁断点が変化し直線状の裁断辺が得られず、施工の際、クロスジョイントに隙間（目透き）が発生することがあった。
【０００７】
更に、糊付け作業が進行して原反ロールから次第にクロスが繰り出されていくと、その分原反ロールの巻き数が減少するので原反ロールの重量が軽くなる。このため、クロスの本体内部への引き込み力に原反ロールが対抗しきれなくなり、原反ロールの軸回転量がクロスの引き込み量を上回る。このため、原反ロールからクロスが必要以上に繰り出されてしまい、クロスが弛んで引き込み荷重が小さくなる。従って、切断搬送中のクロスにシワや撓みが生じてクロスが蛇行するという問題が生じてくる。
【０００８】
このような問題点に対して、本出願人は、壁紙糊付機の改良を多数提案している。例えば、クロスに一定の張力を与えて、クロスのシワや撓みの発生を防止し、クロスの蛇行を防止することができる壁紙糊付機を提案している（例えば、特許文献１参照）。また、クロスを表面側から押さえ込んでクロスの蛇行、シワの発生を防止することができる壁紙糊付機を提案している（例えば、特許文献２参照）。
【０００９】
【特許文献１】特開２００１−３４０７９５号公報
【特許文献２】特開２００２−００２１９９号公報
【発明の開示】
【発明が解決しようとする課題】
【００１０】
しかしながら、厚みがあり、硬いクロスを裁断する場合には、回転刃で切断する際に撓んでしまい、切断中のクロスにシワや撓みが生じてクロスが蛇行するという問題が生じてくる。また、従来のスリッターではスリッターを糊付機本体後面の左右に渡って横架された上段ステーに掛止する上部掛止爪と下段係止片に掛止する下部掛止爪とを個別に備えていたが、耐久性に問題があった。
【００１１】
本発明は、厚みがあり、硬い壁装材を裁断する場合でも、切断中の壁装材にシワや撓みが生じて壁装材が蛇行しない壁紙糊付機用スリッター又は壁紙糊付機を得ることを目的とする。また、本発明では、壁紙糊付機本体との取付けについて耐久性を向上させた取付け構造を得ることを目的とする。更に、本発明では、作業現場での作業環境の向上が図れる壁紙糊付機用スリッター又は壁紙糊付機を得ることを目的とする。
【課題を解決するための手段】
【００１２】
請求項１に記載された発明に係る壁紙糊付機用スリッターは、壁紙糊付機の本体後部に装着され、原反ロールから糊付けのために糊付機本体内へ引き込まれてゆくシート状壁装材を糊付け前に裁断するスリッターであって、
前記壁装材を沿わせる搬送通路となるガイド面部と、このガイド面部の両側端部領域に各々配置される切断用回転刃とを備えた壁紙糊付機用スリッターにおいて、
前記ガイド面部には、壁装材搬送下流側端縁部に形成された下流側曲面部を備え、
前記回転刃と壁装材搬送下流側端縁部との間のガイド面部上で前記壁装材の幅方向に渡されるテンションバーと、該テンションバーによって前記壁装材をガイド面部へ押付けるテンションバー押圧手段とを備えたことを特徴とするものである。
【００１３】
請求項２に記載された発明に係る壁紙糊付機用スリッターは、請求項１に記載のテンションバー押圧手段が、
前記ガイド面部の両側端に配され、一端部にテンションバーを取付ける取付け部を備えた一組のテンションバー保持部材と、
各々のテンションバー保持部材の他端部を軸支する支点部と、
前記テンションバーが前記ガイド面部へ当接する当接位置になるように各々のテンションバー保持部材を付勢する付勢手段とを備えたことを特徴とするものである。
【００１４】
請求項３に記載された発明に係る壁紙糊付機用スリッターは、請求項１又は２に記載のガイド面部には、壁装材搬送上流側端縁部に形成された上流側曲面部を備え、
該上流側曲面部に沿って壁装材の搬送経路を曲折する別のテンションバーと、前記スリッター本体の両側部にこの別のテンションバーを保持するテンションバー保持アームとを更に備え、
前記テンションバー保持アームが、前記上流側曲面部に沿った壁装材の搬送経路とするテンションをかける位置と、壁装材にテンションをかけない位置とに切換え可能としたことを特徴とするものである。
【００１５】
請求項４に記載された発明に係る壁紙糊付機用スリッターは、請求項１〜３の何れか１項に記載の上流側曲面部の曲率半径が１２〜１８ｍｍであることを特徴とするものである。
【００１６】
請求項５に記載された発明に係る壁紙糊付機用スリッターは、請求項１〜４の何れか１項に記載の下流側曲面部の曲率半径が１２〜１８ｍｍであることを特徴とするものである。
【００１７】
請求項６に記載された発明に係るスリッターを備えた壁紙糊付機は、前記請求項１〜５の何れか１項に記載のスリッターを糊付機本体後部に着脱自在に備えた壁紙糊付機において、
前記スリッターには、糊付機後面の左右に渡って横架された上段ステーと、該上段ステーの下方に配された下段係止片との各々に掛止する上下掛止爪を備えた掛止具を備え、
前記下段係止片は、後面側への掛止力に対抗する効力を発生するバネ手段を介して横架されていることを特徴とするものである。
【００１８】
請求項７に記載された発明に係るスリッターを備えた壁紙糊付機は、前記請求項１〜５の何れか１項に記載のスリッターを糊付機本体後部に着脱自在に備えた壁紙糊付機において、
前記壁紙糊付機は、糊液を一時貯留する糊桶と、糊液を保持する糊液容器内の糊液を糊液供給パイプを介して前記糊桶内へ供給する糊液供給ポンプ装置とを更に備え、
前記スリッターには、糊付機本体後部に装着した際に、前記糊液供給パイプを糊付機本体後面と共に挟み込む切欠き部を備えたことを特徴とするものである。
【００１９】
請求項８に記載された発明に係るスリッターを備えた壁紙糊付機は、前記請求項１〜５の何れか１項に記載のスリッターを糊付機本体後部に着脱自在に備えた壁紙糊付機において、
前記壁紙糊付機は、前記糊付機の複数のローラを駆動する駆動源を備えたコントローラを更に備え、
前記回転刃は、モータにより回転させて前記壁装材の端部を裁断するものであり、
前記モータの駆動電源が、前記コントローラを介して供給されていることを特徴とするものである。
【発明の効果】
【００２０】
本発明は以上説明した通り、厚みがあり、硬い壁装材を裁断する場合でも、切断中の壁装材にシワや撓みが生じて壁装材が蛇行しない壁紙糊付機用スリッター又は壁紙糊付機を得ることができる。また、壁紙糊付機本体との取付けについて耐久性を向上させた取付け構造を得ることができる。更に、作業現場での作業環境の向上が図れる等の効果がある。
【発明を実施するための最良の形態】
【００２１】
本発明においては、壁紙糊付機の本体後部に装着され、原反ロールから糊付けのために糊付機本体内へ引き込まれてゆくシート状壁装材を糊付け前に裁断するスリッターであって、前記壁装材を沿わせる搬送通路となるガイド面部と、このガイド面部の両側端部領域に各々配置される切断用回転刃とを備えた壁紙糊付機用スリッターにおいて、
前記ガイド面部には、壁装材搬送下流側端縁部に形成された下流側曲面部を備え、前記回転刃と壁装材搬送下流側端縁部との間のガイド面部上で前記壁装材の幅方向に渡されるテンションバーと、該テンションバーによって前記壁装材をガイド面部へ押付けるテンションバー押圧手段とを備える。これにより、壁装材がガイド面部へ押付けられるため、厚みがあり、硬い壁装材を裁断する場合でも、切断中の壁装材にシワや撓みが生じることがなく、壁装材が蛇行しない。
【００２２】
本発明のテンションバー押圧手段としては、テンションバーによって壁装材がガイド面部へ押付けられるものであればよく、具体的には、ガイド面部の両側端に配されて一端部にテンションバーを取付ける取付け部を備えた一組のテンションバー保持部材と、各々のテンションバー保持部材の他端部を軸支する支点部と、前記テンションバーが前記ガイド面部へ当接する当接位置になるように各々のテンションバー保持部材を付勢する付勢手段とを備えるものが挙げられる。
【００２３】
更に、本発明のスリッターは、好ましくは、この上流側曲面部に沿って壁装材の搬送経路を曲折する別のテンションバーと、スリッター本体の両側部にこの別のテンションバーを保持するテンションバー保持アームとを更に備え、テンションバー保持アームが、前記上流側曲面部に沿った壁装材の搬送経路とするテンションをかける位置と、壁装材にテンションをかけない位置とに切換え可能とする。これにより、切断用回転刃による壁装材の両耳部の切断の際に、壁装材が浮き上がらず、切断中の壁装材にシワや撓みが生じて壁装材が蛇行しない。
【００２４】
本発明のスリッターのガイド面部は、壁装材を沿わせる搬送通路となり、この搬送通路の途中に切断用回転刃が両側端部領域に各々配置されているものであれば良く、好ましくは、ガイド面部には、壁装材搬送上流側端縁部に形成された上流側曲面部を備える。これにより、ガイド面部へテンションを良好にかけることができると共に、壁装材を装着する際にテンションをかける位置と壁装材にテンションをかける位置とに切り替えることができる。
【００２５】
また、より好ましくは、上流側曲面部の曲率半径が１２〜１８ｍｍ、更に好ましくは１５ｍｍに設定する。これにより、休憩時間等で壁装材を装着したまま暫く放置した場合にも、壁装材に山形の曲面部の跡が付いて糊付けムラが発生することを防止することができる。
【００２６】
また、好ましくは、ガイド面部には、壁装材搬送下流側端縁部に形成された下流側曲面部を更に備える。これにより、糊付機本体への引き込み口の引き込み荷重が、原反ロールの重量を含まない場合で１．３ｋｇ重より大きく、原反ロールの重量を含む場合の引き込み口のピンチロールがスリップする引き込み荷重より小さくなるように調整することが容易となる。より好ましくは、下流側曲面部の曲率半径が１２〜１８ｍｍ、更に好ましくは１５ｍｍに設定する。これにより、休憩時間等で壁装材を装着したまま暫く放置した場合にも、壁装材に山形の曲面部の跡が付いて糊付けムラが発生することを防止することができる。
【００２７】
本発明のスリッターは、糊付機本体後部に着脱自在に設置される際には、糊付機後面の左右に渡って横架された上段ステーと、該上段ステーの下方に配された下段係止片との各々に掛止する２つの掛止爪で装着される。本発明のスリッターでは、糊付機後面の左右に渡って横架された上段ステー及び下部係止片の各々に掛止する上下掛止爪を備えた掛止具を備え、更に、下部係止片は、後面側への掛止力に対抗する効力を発生するバネ手段を介して横架される。これにより、壁紙糊付機本体との取付けについて耐久性を向上させた取付け構造を得ることができる。
【００２８】
本発明のスリッターは、糊液を一時貯留する糊桶と、糊液を保持する糊液容器内の糊液を糊液供給パイプを介して前記糊桶内へ供給する糊液供給ポンプ装置とを更に備えた壁紙糊付機に着脱自在に装着されるものでは、好ましくは、スリッターに糊付機本体後部に装着した際に、前記糊液供給パイプを糊付機本体後面と共に挟み込む切欠き部を備える。これにより、糊液供給パイプの取り回しが容易となり、作業現場での作業環境が向上するという利点がある。
【００２９】
本発明のスリッターは、糊付機の複数のローラを駆動する駆動源を備えたコントローラを更に備えた壁紙糊付機に着脱自在に装着されるものでは、好ましくは、切断用回転刃は、モータにより回転させて前記壁装材の端部を裁断するものであり、モータの駆動電源が、前記コントローラを介して供給される。これにより、給電線の取り回しが容易となり、作業現場での作業環境が向上するという利点がある。
【実施例】
【００３０】
１．全体構成
図１は本発明のスリッターを備えた壁紙糊付機の側方全体構成を示す説明図である。図２は図１のスリッター及び糊付機本体の構成を示す説明図である。図１に示す通り、壁紙糊付機は、糊付機本体１と、この糊付機本体１を載置する台座部２と、糊付機本体１を所定高さで支持するために台座部２の左右両端下部にそれぞれ前後に二本一対で配される前脚３１と後脚３２とで構成される脚部３とからなる。
【００３１】
一対の後脚３２には、クロス受けブラケット３３が回動自在に配されており、クロス受けブラケット３３の先端部には、原反ロールＲの中心に通されたクロス芯棒３４が軸支されている。原反ロールＲから繰り出される壁装材（クロス）Ｃは、後脚３２の折り畳み部３５に横架された第１テンションバー３６に当接して引き込み口での引き込み荷重が与えられる。この第１テンションバー３６は、台座部２の前脚３１と後脚３２との中間位置下方に設けられたカットテープ取付け芯棒３７に一端部を回動自在に軸支された第１テンションバー回動部材３８の他端部に取付けられることにより、折り畳み時に台座部２の前脚３１の上部へ収納することができる。
【００３２】
図２に示す通り、糊付機本体１は、糊桶６を主とする下部構体４とその上に開閉可能に載置される上部構体５とによって構成される。下部構体４の後面側には着脱可能なスリッター９が配されている。
【００３３】
各ローラの回転に伴って糊付機本体１の後面側から前方へ搬送されてくる壁装材裏面に回転しながら当接して連続的に糊を塗布する糊付けローラ４１は、下部構体４の左右両側壁面の軸受板に、できるだけ糊桶６内に沈む下方位置の配置となるように軸支されている。また、糊桶６内の糊を回転によって掻き上げて糊付けローラ４１に転写する糊上げローラ６１は、糊桶６の両側側面に、中心より後面側寄りの位置で軸支されている。
【００３４】
糊付けローラ４１は、糊付機本体１に着脱自在に取付けられる駆動源である電動モータを備えたコントローラ（図示せず）の回転軸に連結されている。糊桶６の側板に軸止された糊付けローラ４１の回転軸は、下部構体４に配置される下ピンチローラ４２、ドクターローラ４３、均しローラ４４及び上部構体５に配置される検尺ローラとして用いられる上ピンチローラ５１、押さえローラ５２、ドライブローラ５３のうちの所定ローラの回転軸とギアを介して連動される。
【００３５】
糊付けローラ４１の回転に伴って、ギアを介して回転運動が伝達された他のローラも回転し、上下部構体間に挟み込まれている壁装材Ｃを後方から前方へ搬送し、その途中で糊付けローラ４１上を搬送される際に糊桶６から引き上げられた糊がクロス裏面に転写塗布される。
【００３６】
２．スリッターの構成
図３はスリッターの構成を示す説明図である。図４はスリッターの掛止具の拡大図である。図５は第３テンションバーをガイド面部へ押付けるテンションバー押圧手段の動作を示す説明図である。
【００３７】
図３に示す通り、糊付機本体１の後面側に備えられたスリッター９は、図４の掛止具１０１によって、糊付機本体１後部に着脱自在に装着される。掛止具１０１は糊付機１後面の左右に渡って横架された上段ステー４６に掛止される上掛止爪１０２と、上部ステー４６の下方に配された下段係止片４７に掛止される下掛止爪１０３とを一体として形成されている。これにより、上掛止爪１０２と下掛止爪１０３とを個別に調整することがなくなり、壁紙糊付機本体との取付けについて耐久性が向上する。また、下段掛止片４７には、後面側への掛止力に対抗する効力を発生するバネ手段４８を備え、このバネ手段４８を介して横架されているため、スリッター９と糊付機本体１とがしっかりと装着される。
【００３８】
このスリッター９は、壁装材Ｃを沿わせて搬送する搬送通路となるガイド面部９１と、このガイド面部９１への上流側とガイド面部９１の下流側に壁装材全幅に亘ってガイド面部９１方向へ押圧された状態でガイド面部９１上にテンションをかけるように配置される２つのテンションバーである第２テンションバー９２と第３テンションバー９３と、ガイド面部９１の側端部領域に各々回転刃９０とを備えている。尚、スリッター９の両側壁部の上部に設置されているのは、収納時にクロス芯棒３４を保持するホルダー９４である。
【００３９】
ガイド面部９１は、スリッターの上下に亘って形成され、その下端縁部（即ち、壁装材搬送上流側縁部）と、上端縁部（即ち、壁装材搬送下流側縁部）とは、壁装材Ｃの搬送方向を曲折するための曲面部１０５，１０６を各々有している。各々の曲面部の曲率半径は１５ｍｍである。これは休憩時間等で壁装材Ｃを装着したまま暫く放置した場合にも、壁装材Ｃに山形の曲面部の跡が付いて糊付機によって糊付けムラが発生することを防止するためである。
【００４０】
スリッター９の下方（即ち、壁装材搬送上流側）の第２テンションバー９２は、脚部に備わった第１テンションバー３６と同様に壁装材Ｃの全幅を超える長さの丸棒部材であり、第２テンションバー９２の両端部を支持するテンションバー保持アームとしての第２テンションバー回動部材９５により、開いた状態で壁装材Ｃの装着することができ、壁装材Ｃの両耳部を切断する際には、テンションをかけるようにスリッター下方の下部ホルダー９６の装着位置まで取付け軸９７を中心として回動可能である。
【００４１】
また、回転刃９０の上方（即ち、壁装材搬送下流）のガイド面部９１上の第３テンションバー９３は、挟み込まれた壁装材Ｃをガイド面部９１へ押付ける機構を備える。図５に示すテンションバー押圧手段は、ガイド面部９１の左右両側端に各々配されており、一端部に第３テンションバー９３を取付ける取付け部１１１を備えたテンションバー保持部材１１０と、テンションバー保持部材１１０の他端部を軸支する支点部１１２と、第３テンションバー９３がガイド面部９１へ当接する当接位置になるようにテンションバー保持部材１１０を付勢する付勢手段としてのバネ１１３とを備える。
【００４２】
これにより、回転刃９０による切断の際にガイド面部９１から壁装材Ｃが浮き上がることを防止すると共に、ガイド面部９１の下流側曲面１０６と併せて糊付機本体へ引き込まれる壁装材Ｃに良好なテンションをかけることができる。
【００４３】
３．回転刃
スリッター９の回転刃９０は、前述の通り、モータにより回転させて壁装材Ｃの端部を裁断する。また、前述の通り、糊付けローラ４１を始めとして、下部構体４に配置される下ピンチローラ４２、ドクターローラ４３、均しローラ４４及び上部構体５に配置される検尺ローラとして用いられる上ピンチローラ５１、押さえローラ５２、ドライブローラ５３のうちの所定ローラは、糊付機本体１に着脱自在に取付けられる駆動源である電動モータを備えたコントローラ（図示せず）の回転軸とギアを介して連動されている。
【００４４】
スリッター９の回転刃９０を駆動するモータの駆動電源は、コントローラを介して供給されることにより、給電線の取り回しが容易となり、作業現場での作業環境が向上する。具体的には、コントローラの駆動電圧が４８Ｖであるため、回転刃９０を駆動するモータも同じ４８Ｖの駆動電圧で駆動できるモータを選択して、コントローラの制御手段によって供給電源の切断を制御する。
【００４５】
４．糊液供給パイプ用切欠き
図２に示す通り、スリッター９の糊付機本体側の下部には、切欠き９８が形成されており、糊付機本体１の何れの側面からでも供給パイプを出すことができる。
【図面の簡単な説明】
【００４６】
【図１】本発明の支持構造を備えた壁紙糊付機の側方構成を示す説明図である。
【図２】図１のスリッター及び糊付機本体の構成を示す説明図である。
【図３】スリッターの構成を示す説明図である。
【図４】スリッターの掛止具の拡大図である。
【図５】第３テンションバーをガイド面部へ押付けるテンションバー押圧手段の動作を示す説明図である。
【符号の説明】
【００４７】
１    …糊付機本体、
２    …台座部、
３    …脚部、
３１  …前脚、
３２  …後脚、
３３  …クロス受けブラケット、
３４  …クロス芯棒、
３５  …折り畳み部、
３６  …第１テンションバー、
３７  …カットテープ取付け芯棒、
３８  …第１テンションバー回動部材、
４    …下部構体、
４１  …糊付けローラ、
４２  …下ピンチローラ、
４３  …ドクターローラ、
４４  …均しローラ、
４６  …上段ステー、
４７  …下段係止片、
４８  …バネ手段、
５    …上部構体、
５１  …上ピンチローラ（検尺ローラ）、
５２  …押さえローラ、
５３  …ドライブローラ、
６    …糊桶、
６１  …糊上げローラ、
９    …スリッター、
９０  …回転刃、
９１  …ガイド面部（搬送通路）、
９２  …第２テンションバー、
９３  …第３テンションバー、
９４  …ホルダー、
９５  …第２テンションバー回動部材（テンションバー保持アーム）、
９６  …下部ホルダー、
９７  …取付け軸、
９８  …切欠き
１０１…掛止具、
１０２…上掛止爪、
１０３…下掛止爪、
１０５…上流側曲面部、
１０６…下流側曲面部、
１１０…テンションバー保持部材、
１１１…テンションバー取付け部、
１１２…支点部、
１１３…バネ（付勢手段）、
Ｃ    …クロス、
Ｒ    …原反ロール、
【図１】
2005305916.tif 000003
【図２】
2005305916.tif 000004
【図３】
2005305916.tif 000005
【図４】
2005305916.tif 000006
【図５】
2005305916.tif 000007